(57)【要約】  本発明に係るモータのステータは、ティースを有する複数のコア片が薄肉部を介して連結され積層されたステータコアを備える。ステータコアの薄肉部を屈曲してステータコアを環状にするとともにステータコアの両端部を溶接により接合し、隣接するティース間にスロットを形成する。ステータコアの溶接部はスロットの径方向における中心線近傍にない。
2012105261.tif 000002
【特許請求の範囲】
【請求項１】
ティースを有する複数のコア片が薄肉部を介して連結され積層されたステータコアを備え、前記薄肉部を屈曲して前記ステータコアを環状にするとともに前記ステータコアの両端部を溶接により接合し、隣接する前記ティース間にスロットを形成したモータのステータにおいて、前記ステータコアの溶接部は前記スロットの径方向における中心線近傍にないことを特徴とするモータのステータ。
【請求項２】
前記ステータコアの溶接部は前記ティースの径方向における中心線近傍にあることを特徴とする請求項１に記載のモータのステータ。
【請求項３】
ティースを有する複数のコア片が薄肉部を介して連結され積層されたステータコアを備え、前記薄肉部を屈曲して前記ステータコアを環状にするとともに前記ステータコアの両端部を接合し、隣接する前記ティース間にスロットを形成したモータのステータにおいて、前記ステータコアの両端部を溶接せずに樹脂モールドで固定することを特徴とするモータのステータ。
【請求項４】
請求項１から請求項３のいずれか１項に記載のステータを備えたモータ。
【発明の詳細な説明】
【技術分野】
【０００１】
本発明は、永久磁石ブラシレスモータのステータおよびモータに関する。
【背景技術】
【０００２】
従来、積層鉄心の製造に使用する鉄心材料の歩留まりを向上するため、鉄心材料から帯状のコア部材を打ち抜いたものを積層し、巻線を巻回した後に上記帯状のコア部材を環状に変形し、両端部を溶接により接合したモータのステータ構造が知られている（例えば、特許文献１参照）。【０００３】
図５は、従来の永久磁石ブラシレスモータのステータコアの折り曲げ後の平面図である。ステータコア１１は、ティース１３を有する複数のコア片１１ａが薄肉部１１ｂを介して連結され積層されて構成される。折り曲げ前のステータコア１１の両端部は平面状突き合わせ面１５で突き合わせ、両端部に凹凸部１６を備えている。ステータコア１１の薄肉部１１ｂを屈曲してステータコア１１を環状にするとともにステータコア１１の両端部を溶接により接合し、隣接するティース１３の間にスロット１４を形成してモータのステータ１０を構成している。外周１０ａにある溶接部１７は、スロット１４の径方向における中心線１８上に位置している。【０００４】
しかしながら、上述の従来技術では、コア部材の端部を溶接することによって、溶接部において、コア部材の表裏面の絶縁被膜が破壊され、コア部材間が電気的に導通する状態になり、渦電流が増加した結果、鉄損が増加してモータ効率が低下するという課題がある。
【先行技術文献】
【特許文献】
【０００５】
【特許文献１】特開２００９−３３８７４号公報
【発明の概要】
【０００６】
本発明に係るモータのステータは、ティースを有する複数のコア片が薄肉部を介して連結され積層されたステータコアを備え、薄肉部を屈曲してステータコアを環状にするとともにステータコアの両端部を溶接により接合し、隣接するティース間にスロットを形成したモータのステータにおいて、ステータコアの溶接部はスロットの径方向における中心線近傍にない。
【０００７】
これにより、コア端部溶接による鉄損の増加を抑え、高効率の永久磁石ブラシレスモータを提供することができる。
【図面の簡単な説明】
【０００８】
【図１】図１は、本発明の実施の形態１に係る永久磁石ブラシレスモータのステータコアの折り曲げ後の平面図である。
【図２】図２は、有限要素法によるステータコアの磁束線解析計算結果を示す図である。
【図３】図３は、本発明の実施の形態２に係る永久磁石ブラシレスモータのステータコアの折り曲げ後の平面図である。
【図４】図４は、本発明の実施の形態３に係る永久磁石ブラシレスモータのステータコアの折り曲げ後の平面図である。
【図５】図５は、従来の永久磁石ブラシレスモータのステータコアの折り曲げ後の平面図である。
【発明を実施するための形態】
【０００９】
以下、本発明の実施の形態について図面を参照しながら説明する。
【００１０】
（実施の形態１）
図１は、本発明の実施の形態１に係る永久磁石ブラシレスモータのステータコアの折り曲げ後の平面図である。ステータコア２１は、ティース２３を有する複数のコア片２1ａが薄肉部２１ｂを介して連結され積層されて構成される。折り曲げ前のステータコア２１の両端部は平面状突き合わせ面２５で突き合わせ、両端部に凹凸部２６を備えている。ステータコア２１の薄肉部２１ｂを屈曲してステータコア２１を環状にするとともにステータコア２１の両端部を溶接により接合し、隣接するティース２３の間にスロット２４を形成してモータのステータ２０を構成している。
【００１１】
このように構成されたステータ２０は、１２個の等間隔に配置されたティース２３と、環状に延在するヨーク２２と隣接するティース２３の間に形成されているスロット２４を備える。ステータ２０の外周２０ａにある溶接部２７は、スロット２４の径方向における中心線１８近傍になく、スロット２４の中心線１８とティース２３の径方向における中心線１９との間の位置にある。
【００１２】
図２は、有限要素法によるステータコアの磁束線解析計算結果を示す図である。図２から明らかなように、スロットの中心線１８付近は磁束が一番集中する所で、スロットの中心線１８からティースの中心線１９へ向けて離れるに従い、磁束２８の集中が徐々に緩和されている。つまり、スロットの中心線１８付近の磁束密度が一番高く、スロットの中心線１８からティースの中心線１９の方向へ離れるに従い、磁束密度が徐々に小さくなることがわかる。渦電流損の大きさは、分布する磁束２８の磁束密度の２乗に比例するため、従来のスロットの中心線１８上の溶接位置Ｐ０より本実施の形態１の溶接位置Ｐ１で溶接することによって鉄損を小さくすることができる。
【００１３】
（実施の形態２）
図３は、本発明の実施の形態２に係る永久磁石ブラシレスモータのステータコアの折り曲げ後の平面図である。ステータコア３１は、ティース３３を有する複数のコア片３１ａが薄肉部３１ｂを介して連結され積層されて構成される。折り曲げ前のステータコア３１の両端部は平面状突き合わせ面３５で突き合わせ、両端部に凹凸部３６を備えている。ステータコア３１の薄肉部３１ｂを屈曲してステータコア３１を環状にするとともにステータコア３１の両端部を溶接により接合し、隣接するティース３３の間にスロット３４を形成してモータのステータ３０を構成している。
【００１４】
このように構成されたステータ３０は、１２個の等間隔に配置されたティース３３と、環状に延在するヨーク３２と隣接するティース３３の間に形成されているスロット３４を備える。折り曲げ前のステータコア３１の両端部は突き合わせ面３５で突き合わせ、両端部に凹凸部３６を備えている。外周３０ａにある溶接部３７は、スロット３４の径方向における中心線１８上から離れたティース３３の径方向における中心線１９近傍にある。
【００１５】
実施の形態１と同様、図２から明らかなように、溶接位置はスロット３４の中心線１８からティース３３の中心線１９の方向へ離れるに従い磁束密度が徐々に小さくなる。このように、ティース３３の中心線１９近傍は磁束が最も集中しにくい位置にある。このため、従来のスロットの中心線上の溶接位置Ｐ０より本実施の形態２の溶接位置Ｐ２で溶接することが、鉄損を小さくすることができるので望ましい。
【００１６】
（実施の形態３）
図４は、本発明の実施の形態３に係る永久磁石ブラシレスモータのステータコアの折り曲げ後の平面図である。本実施の形態３が実施の形態１および実施の形態２と異なる点はステータスコアの両端部を接合するに際して、溶接せずに樹脂モールドで固定する点である。その他の構成は、実施の形態１および実施の形態２と同じであるので、実施の形態１と同じ構成には同一の符号を付して説明を省略する。
【００１７】
図４に示すように、本実施の形態３のステータ４０は、ステータコア２１の薄肉部２１ｂを屈曲してステータコア２１を環状にするとともにステータコア２１の両端部を接合して樹脂モールド２９により固定し、隣接するティース２３の間にスロット２４を形成している。このように、本実施の形態３のステータ４０は、ステータコア２１の両端部を溶接せず、樹脂モールドで固定することによって、コア端部溶接による鉄損の増加を無くすことが可能である。これにより、高効率の永久磁石ブラシレスモータを提供することができる。
【００１８】
また、上記実施の形態１〜３に記載のステータを使用して永久磁石ブラシレスモータを構成すれば、コア端部溶接による鉄損の増加を抑え、高効率の永久磁石ブラシレスモータを提供することができる。
【産業上の利用可能性】
【００１９】
本発明に係る永久磁石ブラシレスモータのステータコアは、コア端部溶接による鉄損の増加を抑え、高効率の永久磁石ブラシレスモータを提供することが可能のため、自動車、家電製品などの高効率が求められる用途に適している。
【符号の説明】
【００２０】
１０，２０，３０，４０    ステータ
１０ａ，２０ａ，３０ａ    ステータの外周
１１，２１，３１    ステータコア
１１ａ，２１ａ，３１ａ    コア片
１１ｂ，２１ｂ，３１ｂ    薄肉部
１２，２２，３２    ヨーク
１３，２３，３３    ティース
１４，２４，３４    スロット
１５，２５，３５    突き合わせ面
１６，２６，３６    凹凸部
１７，２７，３７    溶接部
１８    スロットの中心線
１９    ティースの中心線
【図１】
2012105261.tif 000003
【図２】
2012105261.tif 000004
【図３】
2012105261.tif 000005
【図４】
2012105261.tif 000006
【図５】
2012105261.tif 000007
【手続補正書】
【提出日】平成25年7月5日(2013.7.5)
【手続補正１】
【補正対象書類名】明細書
【補正対象項目名】全文
【補正方法】変更
【補正の内容】
【発明の詳細な説明】
【技術分野】
【０００１】
本発明は、永久磁石ブラシレスモータのステータおよびモータに関する。
【背景技術】
【０００２】
従来、積層鉄心の製造に使用する鉄心材料の歩留まりを向上するため、鉄心材料から帯状のコア部材を打ち抜いたものを積層し、巻線を巻回した後に上記帯状のコア部材を環状に変形し、両端部を溶接により接合したモータのステータ構造が知られている（例えば、特許文献１参照）。
【０００３】
図５は、従来の永久磁石ブラシレスモータのステータコアの折り曲げ後の平面図である。ステータコア１１は、ティース１３を有する複数のコア片１１ａが薄肉部１１ｂを介して連結され積層されて構成される。折り曲げ前のステータコア１１の両端部は平面状突き合わせ面１５で突き合わせ、両端部に凹凸部１６を備えている。ステータコア１１の薄肉部１１ｂを屈曲してステータコア１１を環状にするとともにステータコア１１の両端部を溶接により接合し、隣接するティース１３の間にスロット１４を形成してモータのステータ１０を構成している。外周１０ａにある溶接部１７は、スロット１４の径方向における中心線１８上に位置している。
【０００４】
しかしながら、上述の従来技術では、コア部材の端部を溶接することによって、溶接部において、コア部材の表裏面の絶縁被膜が破壊され、コア部材間が電気的に導通する状態になり、渦電流が増加した結果、鉄損が増加してモータ効率が低下するという課題がある。
【先行技術文献】
【特許文献】
【０００５】
【特許文献１】特開２００９−３３８７４号公報
【発明の概要】
【０００６】
本発明に係るモータのステータは、ティースを有する複数のコア片が薄肉部を介して連結され積層されたステータコアを備え、薄肉部を屈曲してステータコアを環状にするとともにステータコアの両端部を溶接により接合し、隣接するティース間にスロットを形成したモータのステータにおいて、ステータコアの溶接部はスロットの径方向における中心線近傍にない。
【０００７】
これにより、コア端部溶接による鉄損の増加を抑え、高効率の永久磁石ブラシレスモータを提供することができる。
【図面の簡単な説明】
【０００８】
【図１】図１は、本発明の実施の形態１に係る永久磁石ブラシレスモータのステータコアの折り曲げ後の平面図である。
【図２】図２は、有限要素法によるステータコアの磁束線解析計算結果を示す図である。
【図３】図３は、本発明の実施の形態２に係る永久磁石ブラシレスモータのステータコアの折り曲げ後の平面図である。
【図４】図４は、本発明の実施の形態３に係る永久磁石ブラシレスモータのステータコアの折り曲げ後の平面図である。
【図５】図５は、従来の永久磁石ブラシレスモータのステータコアの折り曲げ後の平面図である。
【発明を実施するための形態】
【０００９】
以下、本発明の実施の形態について図面を参照しながら説明する。
【００１０】
（実施の形態１）
図１は、本発明の実施の形態１に係る永久磁石ブラシレスモータのステータコアの折り曲げ後の平面図である。ステータコア２１は、ティース２３を有する複数のコア片２１ａが薄肉部２１ｂを介して連結され積層されて構成される。折り曲げ前のステータコア２１の両端部は平面状突き合わせ面２５で突き合わせ、両端部に凹凸部２６を備えている。ステータコア２１の薄肉部２１ｂを屈曲してステータコア２１を環状にするとともにステータコア２１の両端部を溶接により接合し、隣接するティース２３の間にスロット２４を形成してモータのステータ２０を構成している。
【００１１】
このように構成されたステータ２０は、１２個の等間隔に配置されたティース２３と、環状に延在するヨーク２２と隣接するティース２３の間に形成されているスロット２４を備える。ステータ２０の外周２０ａにある溶接部２７は、スロット２４の径方向における中心線１８近傍になく、スロット２４の中心線１８とティース２３の径方向における中心線１９との間の位置にある。
【００１２】
図２は、有限要素法によるステータコアの磁束線解析計算結果を示す図である。図２から明らかなように、スロットの中心線１８付近は磁束が一番集中する所で、スロットの中心線１８からティースの中心線１９へ向けて離れるに従い、磁束２８の集中が徐々に緩和されている。つまり、スロットの中心線１８付近の磁束密度が一番高く、スロットの中心線１８からティースの中心線１９の方向へ離れるに従い、磁束密度が徐々に小さくなることがわかる。渦電流損の大きさは、分布する磁束２８の磁束密度の２乗に比例するため、従来のスロットの中心線１８上の溶接位置Ｐ０より本実施の形態１の溶接位置Ｐ１で溶接することによって鉄損を小さくすることができる。
【００１３】
（実施の形態２）
図３は、本発明の実施の形態２に係る永久磁石ブラシレスモータのステータコアの折り曲げ後の平面図である。ステータコア３１は、ティース３３を有する複数のコア片３１ａが薄肉部３１ｂを介して連結され積層されて構成される。折り曲げ前のステータコア３１の両端部は平面状突き合わせ面３５で突き合わせ、両端部に凹凸部３６を備えている。ステータコア３１の薄肉部３１ｂを屈曲してステータコア３１を環状にするとともにステータコア３１の両端部を溶接により接合し、隣接するティース３３の間にスロット３４を形成してモータのステータ３０を構成している。
【００１４】
このように構成されたステータ３０は、１２個の等間隔に配置されたティース３３と、環状に延在するヨーク３２と隣接するティース３３の間に形成されているスロット３４を備える。折り曲げ前のステータコア３１の両端部は突き合わせ面３５で突き合わせ、両端部に凹凸部３６を備えている。外周３０ａにある溶接部３７は、スロット３４の径方向における中心線１８上から離れたティース３３の径方向における中心線１９近傍にある。
【００１５】
実施の形態１と同様、図２から明らかなように、溶接位置はスロット３４の中心線１８からティース３３の中心線１９の方向へ離れるに従い磁束密度が徐々に小さくなる。このように、ティース３３の中心線１９近傍は磁束が最も集中しにくい位置にある。このため、従来のスロットの中心線上の溶接位置Ｐ０より本実施の形態２の溶接位置Ｐ２で溶接することが、鉄損を小さくすることができるので望ましい。
【００１６】
（実施の形態３）
図４は、本発明の実施の形態３に係る永久磁石ブラシレスモータのステータコアの折り曲げ後の平面図である。本実施の形態３が実施の形態１および実施の形態２と異なる点はステータスコアの両端部を接合するに際して、溶接せずに樹脂モールドで固定する点である。その他の構成は、実施の形態１および実施の形態２と同じであるので、実施の形態１と同じ構成には同一の符号を付して説明を省略する。
【００１７】
図４に示すように、本実施の形態３のステータ４０は、ステータコア２１の薄肉部２１ｂを屈曲してステータコア２１を環状にするとともにステータコア２１の両端部を接合して樹脂モールド２９により固定し、隣接するティース２３の間にスロット２４を形成している。このように、本実施の形態３のステータ４０は、ステータコア２１の両端部を溶接せず、樹脂モールドで固定することによって、コア端部溶接による鉄損の増加を無くすことが可能である。これにより、高効率の永久磁石ブラシレスモータを提供することができる。
【００１８】
また、上記実施の形態１〜３に記載のステータを使用して永久磁石ブラシレスモータを構成すれば、コア端部溶接による鉄損の増加を抑え、高効率の永久磁石ブラシレスモータを提供することができる。
【産業上の利用可能性】
【００１９】
本発明に係る永久磁石ブラシレスモータのステータコアは、コア端部溶接による鉄損の増加を抑え、高効率の永久磁石ブラシレスモータを提供することが可能のため、自動車、家電製品などの高効率が求められる用途に適している。
【符号の説明】
【００２０】
１０，２０，３０，４０  ステータ
１０ａ，２０ａ，３０ａ  ステータの外周
１１，２１，３１  ステータコア
１１ａ，２１ａ，３１ａ  コア片
１１ｂ，２１ｂ，３１ｂ  薄肉部
１２，２２，３２  ヨーク
１３，２３，３３  ティース
１４，２４，３４  スロット
１５，２５，３５  突き合わせ面
１６，２６，３６  凹凸部
１７，２７，３７  溶接部
１８  スロットの中心線
１９  ティースの中心線
【手続補正２】
【補正対象書類名】特許請求の範囲
【補正対象項目名】全文
【補正方法】変更
【補正の内容】
【特許請求の範囲】
【請求項１】
ティースを有する複数のコア片が薄肉部を介して連結され積層されたステータコアを備え、前記薄肉部を屈曲して前記ステータコアを環状にするとともに前記ステータコアの両端部を溶接により接合し、隣接する前記ティース間にスロットを形成したモータのステータにおいて、前記ステータコアの溶接部は前記スロットの径方向における中心線近傍にないことを特徴とするモータのステータ。
【請求項２】
前記ステータコアの溶接部は前記ティースの径方向における中心線近傍にあることを特徴とする請求項１に記載のモータのステータ。
【請求項３】
ティースを有する複数のコア片が薄肉部を介して連結され積層されたステータコアを備え、前記薄肉部を屈曲して前記ステータコアを環状にするとともに前記ステータコアの両端部を接合し、隣接する前記ティース間にスロットを形成したモータのステータにおいて、前記ステータコアの両端部を溶接せずに樹脂モールドで固定することを特徴とするモータのステータ。
【請求項４】
請求項１から請求項３のいずれか１項に記載のステータを備えたモータ。
【手続補正３】
【補正対象書類名】図面
【補正対象項目名】全図
【補正方法】変更
【補正の内容】
【図１】
2012105261.tif 000008
【図２】
2012105261.tif 000009
【図３】
2012105261.tif 000010
【図４】
2012105261.tif 000011
【図５】
2012105261.tif 000012
【国際調査報告】
2012105261.tif 000013
2012105261.tif 000014
2012105261.tif 000015
2012105261.tif 000016